(57)【特許請求の範囲】
【請求項１】
吊り元側の支持体に開閉自在に支持され、家屋側と道路側のいずれかに開放可能な門扉本体と、門扉本体の道路側の台座に回動自在に接続された外ハンドルと、門扉本体の家屋側の台座に前記外ハンドルに連動して回動自在に接続された施錠レバーと、戸先側の支持体の家屋側に取り付けられ、前記施錠レバーが係合する受け部材を備え、外ハンドルの門扉本体を貫通する軸に、この軸と共に回動し、施錠状態において前記軸を挟む上下対称位置に一箇所ずつ係止部が形成された部材が装着され、家屋側と道路側のいずれかの台座の内部に、前記軸の周りにおける片側一箇所に配置され、前記軸が施錠状態からいずれの向きにも回転したときに前記係止部を係止する被係止部が前記軸を挟む上下対称位置に一箇所ずつ形成された板状の部材であって、施錠レバーが受け部材に係合している状態からの外ハンドルの回転可能角度を90°より小さく、且つ施錠レバーが受け部材から解除されたところで規制する規制部材が着脱自在に取り付けられている門扉。
【請求項２】
門扉本体の道路側の台座に回動自在に接続された外ハンドルと、門扉本体の家屋側の台座に回動自在に接続され、外ハンドルに連動して回動し、戸先側の支持体の家屋側に取り付けられた受け部材に係合する施錠レバーからなる門扉錠であり、外ハンドルの門扉本体を貫通する軸に、この軸と共に回動し、施錠状態において前記軸を挟む上下対称位置に一箇所ずつ係止部が形成された部材が装着され、家屋側と道路側のいずれかの台座の内部に、前記軸の周りにおける片側一箇所に配置され、前記軸が施錠状態からいずれの向きにも回転したときに前記係止部を係止する被係止部が前記軸を挟む上下対称位置に一箇所ずつ形成された板状の部材であって、施錠レバーが受け部材に係合している状態からの外ハンドルの回転可能角度を90°より小さく、且つ施錠レバーが受け部材から解除されたところで規制する規制部材が着脱自在に取り付けられている門扉錠。
【発明の詳細な説明】
【０００１】
【発明の属する技術分野】
この発明は特に門扉本体が内開きで、戸先側の支持体に戸当りが付く場合の開放操作時の操作性を高める門扉及び門扉錠に関するものである。
【０００２】
【従来の技術及び発明が解決しようとする課題】
門扉は人が出入りするための門扉本体と、門扉本体を開閉自在に支持する吊り元側の支柱等の支持体と、門扉本体を閉鎖状態に保つ戸先側の支柱や子扉等の支持体から構成され、門扉本体の開放の向きにより家屋側に開く内開きと道路側に開く外開きに分けられる。
【０００３】
門扉本体はその家屋側の面に回動自在に接続された施錠レバーが戸先側の支持体の家屋側に取り付けられた受け部材に係合することにより閉鎖状態を保ち、道路側での開放操作は門扉本体の道路側の面に回動自在に接続された外ハンドルを回転させ、外ハンドルに連動して回動する施錠レバーを受け部材から解除することにより行われる。
【０００４】
施錠レバーは受け部材の上端を越えるまで回転させられることで受け部材から解除され、内開きの場合にはそのまま門扉本体を開放させることができるが、外ハンドルは施錠レバーが受け部材から解除された時点では回転を制限されない。通常は実公昭59-26045号のように施錠状態から90°程度回転するまで抵抗なく回転可能であることから、外ハンドルによる門扉本体の開放操作時には外ハンドルが90°程度回転することになるため、操作が面倒になっている。
【０００５】
また施錠状態で外ハンドルが横向きの状態にある門扉において、外ハンドルの回転操作により内開きの門扉本体を開けようとするときには外ハンドルが縦向きになるまで回転するため、図10に示すように戸先側の支持体の道路側に門扉本体の道路側への開放を規制する戸当りが付いている場合には、外ハンドルを握る手が門扉本体を開けようとするときに戸当りと干渉して操作しにくいことがある。
【０００６】
この発明は上記背景より、内開きの門扉本体を開けるときの操作性を高める門扉及び門扉錠を提案するものである。
【０００７】
【課題を解決するための手段】
本発明は、図５に示すように板状の規制部材が片側に配置された構成に限定した門扉及び門扉錠であり、外ハンドルの門扉本体を貫通する軸に、この軸と共に回動し、施錠状態において前記軸を挟む上下対称位置に一箇所ずつ係止部が形成された部材が装着され、家屋側と道路側のいずれかの台座の内部に、前記軸の周りにおける片側一箇所に配置され、前記軸が施錠状態からいずれの向きにも回転したときに前記係止部を係止する被係止部が前記軸を挟む上下対称位置に一箇所ずつ形成された板状の部材であって、施錠レバーが受け部材に係合している状態から、外ハンドルが施錠レバーを受け部材から解除し、門扉本体を開放させるまでの外ハンドルの回転可能角度を90°より小さく、且つ施錠レバーが受け部材から解除されたところで規制する規制部材を家屋側と道路側のいずれかの台座の内部に着脱自在に取り付けることにより、門扉本体が内開きで、戸先側の支持体に戸当りが付いている門扉における外ハンドルの操作を単純にする。また門扉本体の開放時に手が戸当りに干渉することと、干渉による操作性の低下を回避する。
【０００８】
施錠レバーは施錠状態から30°乃至45°程度回転すれば、受け部材から解除されることから、施錠レバーが受け部材に係合している状態から、門扉本体を開放させるまでの外ハンドルの回転を施錠レバーが受け部材から解除されたところで規制すれば、90°近く回転する場合より操作量が減少し、戸当りとの干渉もなくなるため、操作性が向上する。
【０００９】
門扉は吊り元側の支持体と、その支持体に開閉自在に支持される門扉本体と、門扉本体を閉鎖状態に保つ戸先側の支持体からなり、門扉本体の道路側の台座に外ハンドルが回動自在に接続され、門扉本体の家屋側の台座に外ハンドルに連動して回動自在な施錠レバーが接続され、戸先側の支持体の家屋側に施錠レバーが係合する受け部材が取り付けられる。
【００１０】
手が戸当りに干渉する可能性は上記の通り、門扉本体が内開きで、戸先側の支持体の道路側に戸当りが付いた場合に発生するが、外ハンドルの回転角度が90°より小さい角度に制限されること自体は門扉本体が内開きであるか外開きであるかに関係なく、戸当りの有無にも関係ない要件であるため、本発明の門扉は門扉本体が内開きの場合と外開きの場合のいずれにも、また戸先側の支持体が内開きの場合に戸当りが付く子扉であるか、戸当りが付かない支柱であるかに関係なく使用される。
【００１１】
規制部材は門扉本体の家屋側と道路側のいずれかの台座に着脱自在に取り付けられるため、台座から取り外されることで、門扉本体が内開きで、戸先側の支持体に戸当りが付いた門扉以外の門扉においては、外ハンドルの回転可能角度を90°より小さい角度に規制せずに使用されることもできる。
【００１２】
【発明の実施の形態】
この発明の門扉は支柱等の吊り元側の支持体１に開閉自在に支持される門扉本体２と、その道路側で門扉本体２の施解錠と開閉操作を行う外ハンドル３と、門扉本体２の家屋側で門扉本体２を施錠状態にする施錠レバー４と、施錠時に施錠レバー４が係合する受け部材６と、外ハンドル３の回転可能角度を90°より小さく、且つ施錠レバー４が受け部材６から解除されたところで規制する規制部材11から構成される。
【００１３】
外ハンドル３は門扉本体２の道路側の面に回動自在に接続され、施錠レバー４は門扉本体２の家屋側の面に外ハンドル３に連動して回動自在に接続され、受け部材６は戸先側の支柱や子扉等の支持体５の家屋側に取り付けられる。施錠レバー４には家屋側で門扉本体２の施解錠と開閉操作を行う内ハンドル７が一体化している。
【００１４】
門扉本体２の施錠状態から開放までの外ハンドル３の回転角度が90°より小さい角度に制限されることで、門扉は図１に示すように門扉本体２が家屋側へ開放する内開きで、戸先側の支持体５が開閉可能な子扉である場合のように戸先側の支持体５の道路側に戸当り８が付いた形態の門扉において外ハンドル３を握る手が戸当り８に衝突する事態を防止する機能を発揮するが、図２に示すように戸先側の支持体５が開閉可能でありながら、門扉本体２が道路側へ開放し、戸当り81が門扉本体２に付く外開きの門扉にも適用される。
【００１５】
その他、門扉は図３，図４に示すように戸先側の支持体５が支柱である場合のように開閉することがない場合にも適用される。戸先側の支持体５が開閉しない場合で、門扉本体２が内開きの場合には門扉本体２に戸当り81が付き、門扉本体２が外開きの場合には支持体５に戸当り81が付く。
【００１６】
外ハンドル３は門扉本体２の戸先側の道路側の面に固定された台座９に回動自在に接続され、門扉本体２の道路側で施錠レバー４を受け部材６に係合させ、または係合を解除し、門扉本体２を開放させるために回動操作される。
【００１７】
施錠レバー４は門扉本体２の戸先側の家屋側の面に固定された台座10に回動自在に接続され、門扉本体２を貫通する外ハンドル３の軸3aに接続されることにより外ハンドル３の回動に連動して回動し、受け部材６に係合し、または受け部材６から解除される。
【００１８】
受け部材６は上方が開放した形をし、施錠レバー４を受けたときに施錠レバー４に門扉本体２の面外方向に係合し、施錠状態を維持する。施錠レバー４はその軸の回りに回転して受け部材６を越えたときに受け部材６から解除される。
【００１９】
図５〜図８は規制部材11を内蔵した門扉錠の構成例を示す。図５，図６に示すように外ハンドル３の軸3aの回りには軸3aと共に回動するスリーブ3bが装着される。
【００２０】
例えばここに示すようにスリーブ3bの外周面に突起状の係止部3cを形成する、もしくは係止部12ｃを有する補助材12をスリーブ3bに一体的に接続する一方、いずれかの台座９，10の内部にスリーブ3bが一定角度回転したときに係止部3c（12ｃ）が係止する被係止部11ａを有する規制部材11を取り付けることにより、施錠レバー４が受け部材６から解除されるときの外ハンドル３の回転可能角度が90°より小さい角度に制限され、且つ施錠レバー４が受け部材６から解除されたところで回転が規制される。
【００２１】
図５では施錠レバー４の施錠状態からスリーブ3bが45°程度回転したときに係止部3c（12ｃ）が規制部材11の被係止部11ａに係止するようにしているが、規制部材11が制限する外ハンドル３の回転角度は特定の角度には限定されない。外ハンドル３の回転角度は少なくとも施錠レバー４が受け部材６を越えられる角度以上であればよいため、受け部材６の深さに応じ、自由に決められる。
【００２２】
図５ではまた、外ハンドル３と施錠レバー４からなる門扉錠の左右の勝手違いに対応するために、上下対称位置の二箇所に係止部3c（12ｃ）と被係止部11ａを形成することで、スリーブ3bが施錠状態からいずれの向きにも45°程度回転したときに係止部3c（12ｃ）が規制部材11に係止するようにしている。
【００２３】
規制部材11は前記した図１〜図４に示す４通りの形態の門扉の内、門扉本体２が内開きで、戸先側の支持体５の道路側に戸当り８が付いた図１に示す形態の門扉において、手が戸当り８に衝突することを防止する役目を果たすことから、衝突の可能性のないその他の図２〜４に示す形態の門扉では必ずしも必要とされないため、外ハンドル３と施錠レバー４からなる門扉錠を図２〜４に示す門扉にも使用可能にする上で、規制部材11はいずれかの台座９，10に対してねじ13等により着脱自在に取り付けられる。
【００２４】
図６，図７は図５に示す規制部材11の変形例を示す。ここではいずれかの台座９（10）に外ハンドル３の軸3aの方向に棒状の突起14を突設する一方、規制部材11に突起14が嵌合する孔11ｂを形成することで、規制部材11を台座９（10）に対向させたまま差し込み、引き抜くことによりねじ13を使用することなく着脱できるようにしている。ここでもスリーブ3bが施錠状態からいずれの向きにも45°程度回転したときに係止部3cが規制部材11に係止するようにしている。
【００２５】
図５〜図７は規制部材11として板状の部品を使用しているのに対し、図８はブロック状の一個の部品を使用することで、規制部材11の小型化を図った場合を示す。ここでは台座９（10）に雌ねじ孔15を形成し、その雌ねじ孔15に規制部材11をねじ13で止めている。
【００２６】
規制部材11をスリーブ3bの係止部3c，3cが係止し得る位置に止めることができれば、雌ねじ孔15に規制部材11を止めるだけでよいが、図示するようにスリーブ3bの係止部3c，3cが係止し得る位置に雌ねじ孔15を形成できない場合にはスリーブ3bの外周にスリーブ3bと共に回転し、規制部材11に係止する係止部12ｃ，12ｃを有する補助材12が取り付けられる。
【００２７】
図示しないが、図８において台座９（10）の雌ねじ孔15に螺入するねじ13の頭部が雌ねじ孔15から突出した状態を保てば、スリーブ3bの係止部3c（12ｃ）がねじ13に係止可能であるため、ブロック状の規制部材11を省略し、ねじ13をそのまま規制部材11として利用することもできる。
【００２８】
このように規制部材11として板状、もしくはブロック状の部品の他、ねじ13を使用することができるため、規制部材11の形態や大きさ、形状は図５〜図８に示す例には限定されず、一切問われない。
【００２９】
【発明の効果】
規制部材により施錠レバーが受け部材に係合している状態からの外ハンドルの回転可能角度を90°より小さく、且つ施錠レバーが受け部材から解除されたところで規制するため、門扉本体が内開きで、戸先側の支持体に戸当りが付いている門扉における外ハンドルの操作を単純にし、また門扉本体の開放時に手が戸当りに干渉することと、干渉による操作性の低下を回避することができる。また、上下対称位置に一箇所ずつ係止部を有するスリーブを外ハンドルの軸に装着し、左右両側のうちの片側に、上下対称位置に一箇所ずつ被係止部を有する一枚の規制部材を取付け、外ハンドルの軸が施錠状態からいずれの向きに回転しても係止部が被係止部に係止することで、門扉錠の左右勝手違いにも対応することができる。
【００３０】
規制部材は家屋側と道路側のいずれかの台座に着脱自在に取り付けられるため、台座から取り外されることで、門扉錠を門扉本体が内開きで、戸先側の支持体に戸当りが付いた門扉以外の門扉にも使用することができる。
【図面の簡単な説明】
【図１】門扉本体が内開きで、戸先側の支持体の道路側に戸当りが付いた門扉の施錠状態を示した平面図である。
【図２】門扉本体が外開きで、戸先側の支持体が開閉可能な子扉である門扉の施錠状態を示した平面図である。
【図３】門扉本体が内開きで、戸先側の支持体が支柱である門扉の施錠状態を示した平面図である。
【図４】門扉本体が外開きで、戸先側の支持体が支柱である門扉の施錠状態を示した平面図である。
【図５】門扉錠の具体例を示した立面図である。
【図６】図５の門扉錠の変形例を示した斜視図である。
【図７】  (a) は図６の立面図、(b) は(a) の縦断面図である。
【図８】門扉錠の他の具体例を示した立面図である。
【図９】図１に示す形態の門扉を示した道路側の立面図である。
【図１０】従来の図１に示す形態の門扉の門扉本体を開けるときの状況を示した斜視図である。
【符号の説明】
１……吊り元側の支持体、２……門扉本体、３……外ハンドル、3a……軸、3b……スリーブ、3c……係止部、４……施錠レバー、５……戸先側の支持体、６……受け部材、７……内ハンドル、８……戸当り、81……戸当り、９……台座、10……台座、11……規制部材、11ａ……被係止部、11ｂ……孔、12……補助材、12ｃ……係止部、13……ねじ、14……突起、15……雌ねじ孔。
【図１】
0003818843.tif 000002
【図２】
0003818843.tif 000003
【図３】
0003818843.tif 000004
【図４】
0003818843.tif 000005
【図５】
0003818843.tif 000006
【図６】
0003818843.tif 000007
【図７】
0003818843.tif 000008
【図８】
0003818843.tif 000009
【図９】
0003818843.tif 000010
【図１０】
0003818843.tif 000011